(57)【要約】      （修正有）【課題】フェイスマスクは、必ず常に顔の前面を覆うものであるため、ユーザーが息苦しさを感じたり、使用場面によっては大袈裟過ぎて使用をためらうことがあり、使い勝手の悪いものであった。【解決手段】柔軟な素材により形成され、第１の面１ａがユーザーの頭部から顔前面の少なくとも鼻の下方又は口元の周辺の部分に対向しながら前記部分を覆うような大きさ及び形状に形成されて成るカバー部１と、前記カバー部１の第１の面側の上方に配置され、ユーザーの頭部と対向するようにユーザーから見て左右方向に延びており、ユーザーの顔前面側に「前記カバー部１ａがユーザーのアイメイクに接触しないように又は前記カバー部１ａがユーザーのアイメイクに支障を与えないようにするためのスペース」を作出するためのスペーサ部２と、上記カバー部１ａなどをユーザー頭部に装着するバンド部５とを備えたものである。【選択図】図１
2015217026.tif 000002
【特許請求の範囲】
【請求項１】
柔軟な素材により形成された、顔前面の少なくとも一部を覆うカバー部であって、その第１の面がユーザーの顔前面中の両眼の上方から鼻の下方又は口元の周辺までの部分に対向するような大きさ及び形状に形成されて成るカバー部と、
前記カバー部の前記第１の面側の上方に配置され、ユーザーの両眼の上方又は額の部分と対向又は当接するようにユーザーから見て左右方向に延びており、ユーザーの顔前面側の少なくともアイメイク前方に「前記カバー部がユーザーのアイメイクに接触しないように又は前記カバー部がユーザーのアイメイクに支障を与えないようにするためのスペース」を作出するためのスペーサ部と、
前記カバー部の上方に取り付けられ、前記カバー部の上方部分をユーザーの額又は頭部に装着又は取り付ける装着部と、を備え、
前記スペーサ部は、前記カバー部の上方縁部から約２〜７ｃｍ下方のユーザーから見て左右方向に延びる仮想線又はその周辺部分を折り返し部としたとき、前記スペーサ部の下端部のユーザーから見たときの上下方向の高さが前記折り返し部と略一致するように、配置されており、
前記スペーサ部は、前記折り返し部を介して、前記カバー部の前記第１の面と反対側の第２の面側の方向に折り返し又は回転可能とされている、アイメイクセーバー機能付きアイフェイスマスク。
【請求項２】
前記装着部は、前記スペーサ部が前記カバー部よりもユーザーの顔前面側に配置されているときでも、前記スペーサ部が前記カバー部を介してユーザーの顔前面側とは反対側に配置されているときでも、前記カバー部をユーザーの額又は頭部に装着又は取付け可能に構成されている、請求項１に記載のアイメイクセーバー機能付きアイフェイスマスク。
【請求項３】
前記カバー部には、前記スペーサ部が前記カバー部よりもユーザーの顔前面側に配置されているときに前記バンド部を前記第２の面の上方の左右両端部に一時的に固定するための第１の係止部と、前記スペーサ部が前記カバー部を介してユーザーの顔前面側とは反対側に配置されているときに前記バンド部を前記第２の面側に折り曲げ又は回転された前記スペーサ部の左右両端部に一時的に固定するための第２の係止部とがそれぞれ備えられている、請求項１に記載のアイメイクセーバー機能付きアイフェイスマスク。
【請求項４】
前記スペーサ部は、その下端部が、前記カバー部の上端から約２〜５ｃｍだけ下方の領域に配置されている、請求項１に記載のアイメイクセーバー機能付きアイフェイスマスク。
【発明の詳細な説明】
【技術分野】
【０００１】
本発明は、つけまつげ、まつげエクステンション、マスカラ、アイシャドウなどのアイメイク（目元に施す化粧）を保護するアイメイクセーバー機能を備えたアイフェイスマスクに関する。
【背景技術】
【０００２】
従来より、顔に施した化粧を保護するフェイスマスクが提案されている。例えば、特許文献１では、顔肌に塗布した基礎化粧料が就寝中に蒸発することを防ぐために顔面の前方向に突出するように立体的に形成した立体就寝フェイスマスクを提案している。
【先行技術文献】
【特許文献】
【０００３】
【特許文献１】特開２０１０−１３７０３６号公報
【発明の概要】
【発明が解決しようとする課題】
【０００４】
しかしながら、特許文献１のようなフェイスマスクは、必ず常に顔の前面を覆うものであるため、ユーザーが息苦しさを感じたり、使用場面によっては大袈裟過ぎて使用をためらうことがあり、使い勝手の悪いものであった。
【０００５】
本発明はこのような従来技術の問題点に着目してなされたものであって、ユーザーは、つけまつげ、まつげエクステンション、マスカラ、アイシャドウなどのアイメイクを保護しながらフェイスマスクとして使用したり、個々の場面や状況によっては手軽なアイマスクとして使用するなど、アイメイクセーバー機能付きフェイスマスクとアイマスクとの双方を場面と状況により使い分けることができるというように、アイメイクセーバー機能付きフェイスマスクとアイマスクとの双方を１つの製品で実現できる使い勝手のよい、アイメイクセーバー機能付きアイフェイスマスクを提供することを目的とする。
【課題を解決するための手段】
【０００６】
このような課題を解決するための本発明によるアイメイクセーバー機能付きアイフェイスマスクは、柔軟な素材により形成された、顔前面の少なくとも一部を覆うカバー部であって、その第１の面がユーザーの顔前面中の両眼の上方から鼻の下方又は口元の周辺までの部分に対向するような大きさ及び形状に形成されて成るカバー部と、前記カバー部の前記第１の面側の上方に配置され、ユーザーの両眼の上方又は額の部分と対向又は当接するようにユーザーから見て左右方向に延びており、ユーザーの顔前面側の少なくともアイメイク前方に「前記カバー部がユーザーのアイメイクに接触しないように又は前記カバー部がユーザーのアイメイクに支障を与えないようにするためのスペース」を作出するためのスペーサ部と、前記カバー部の上方に取り付けられ、前記カバー部の上方部分をユーザーの額又は頭部に装着又は取り付ける装着部と、を備え、前記スペーサ部は、前記カバー部の上方縁部から約２〜７ｃｍ（より望ましくは、約２．５〜６ｃｍ又は約３〜５ｃｍ）下方のユーザーから見て左右方向に延びる仮想線又はその周辺部分を折り返し部としたとき、前記スペーサ部の下端部のユーザーから見たときの上下方向の高さが前記折り返し部と略一致するように、配置されており、前記スペーサ部は、前記折り返し部を介して（前記折り返し部を回転中心として）、前記カバー部の前記第１の面と反対側の第２の面側の方向に折り返し又は回転可能とされているものである。
【０００７】
また、本発明によるアイメイクセーバー機能付きアイフェイスマスクにおいては、前記装着部は、前記スペーサ部が前記カバー部よりもユーザーの顔前面側に配置されているときでも、前記スペーサ部が前記カバー部を介してユーザーの顔前面側とは反対側に配置されているときでも、前記カバー部をユーザーの額又は頭部に装着又は取付け可能に構成されていることが望ましい。
【０００８】
また、本発明のアイメイクセーバー機能付きアイフェイスマスクにおいては、前記カバー部には、前記スペーサ部が前記カバー部よりもユーザーの顔前面側に配置されているときに前記バンド部を前記第２の面の上方の左右両端部に一時的に固定するための第１の係止部と、前記スペーサ部が前記カバー部を介してユーザーの顔前面側とは反対側に配置されているときに前記バンド部を前記第２の面側に折り曲げ又は回転された前記スペーサ部の左右両端部に一時的に固定するための第２の係止部とがそれぞれ備えられていてもよい。
【０００９】
さらに本発明のアイメイクセーバー機能付きアイフェイスマスクにおいては、前記スペーサ部は、その下端部が、前記カバー部の上端から約２〜５ｃｍだけ下方の領域に配置されていることが望ましい。
【発明の効果】
【００１０】
前述のように、本発明においては、スペーサ部をカバー部の第１の面側（ユーザーの顔前面と対向する側）の上方に設けるようにしたので、前記カバー部を、装着部により、前記カバー部の第１の面及びスペース部がユーザーの顔前面及び額部分に対向するように装着するときは、カバー部でユーザーの顔前面中の両眼の上方から口元周辺部分までの部分を覆いながら、ユーザーの顔前面側（アイメイクの前方）に所定のスペースを作出することができる。よって、ユーザーは、本発明を、前記カバー部がユーザーのアイメイクに接触しないように又は前記カバー部がユーザーのアイメイクに支障を与えないようにしながら、フェイスマスクとして使用することができる。
【００１１】
また、このようにフェイスマスクとして使用する場合、前記カバー部の下端部がユーザーの鼻又は口元の周辺まで延びているため、前記スペーサ部によりユーザーの両眼の近傍にスペースが存在していても、ユーザーの両眼の周囲に、睡眠や休息のために十分な暗さを確保することができる。
【００１２】
また、他方、本発明においては、前記スペーサ部を、前記折り返し部を介して（前記カバー部の上方縁部から約２〜７ｃｍ、約２．５〜６ｃｍ又は約３〜５ｃｍだけ下方のユーザーから見て左右方向に延びる仮想線又はその周辺部分であって、前記スペーサ部の下端部とユーザーから見たときの上下方向の高さが略一致する部分を回転中心として）前記カバー部の前記第１の面と反対側の第２の面側に折り曲げ又は回転できるように構成してているので、そのように折り返した（折り曲げ、回転した）状態のカバー部は、前記カバー部の下端部が前記フェイスマスクとして使用する場合の形態に比べて上記約２〜７ｃｍ、約２．５〜６ｃｍ又は約３〜５ｃｍだけ上方に移行するので、ちょうどアイマスクに適した形態（カバー部のユーザーから見て上下方向の長さがフェイスマスクとしての形態よりも十分に短い形態）となる。よって、本発明においては、前述のようにスペーサ部を折り返した後のカバー部を、前記装着部により、前記カバー部の第１の面がユーザーの顔前面及び額部分に対向させるように装着したときは、（前記スペーサ部の折り曲げ又は回転により、ユーザーの顔前面及び額部分に対向する前記カバー部の第１の面のユーザーから見て上下方向の長さが、前記スペーサ部が折り曲げ又は回転された分だけ短くなるため）前記第１の面の下端部がユーザーの鼻周辺に位置するようになるので、ユーザーは、本発明を、フェイスマスクとしてではなく、手軽なアイマスクとして使用することができるようになる。
【００１３】
また、このようにアイマスクとして使用する場合、前記カバー部のユーザーの顔前面側には前記スペーサ部が存在せず、前記カバー部とユーザーの両眼周辺との間にあるスペースは有っても微小なものに止まるので、ユーザーの両眼の周囲は十分な暗さを確保することができる（これに対して、もし上記のようにカバー部の上下方向の長さが短いアイマスクとして使用するときに、前記カバー部のユーザーの顔前面側に前記スペーサ部が配置される場合は、前記スペーサ部によりユーザーの眼前に形成されるスペースによりユーザーの両眼の周囲に睡眠や休息のために十分な暗さを確保することができない）。
【００１４】
以上より、本発明によれば、ユーザーは、つけまつげ、まつげエクステンション、マスカラ、アイシャドウなどのアイメイクを保護しながらフェイスマスクとして使用したり、個々の場面や状況によっては手軽なアイマスクとして使用するなど、アイメイクセーバー機能付きフェイスマスクとアイマスクとの双方を場面と状況により使い分けることができ、アイメイクセーバー機能付きフェイスマスクとアイマスクとの双方を１つの製品で実現できる大変使い勝手のよいアイフェイスマスクを実現することができる。
【００１５】
また、本発明において、前記カバー部には、前記スペーサ部が前記カバー部よりもユーザーの顔前面側に配置されているときに前記バンド部を前記第２の面の上方の左右両端部に一時的に固定するための第１の係止部と、前記スペーサ部が前記カバー部を介してユーザーの顔前面側とは反対側に配置されているときに前記バンド部を前記第２の面側に折り曲げ又は回転された前記スペーサ部の左右両端部に一時的に固定するための第２の係止部とがそれぞれ備えるようにしたときは、本発明をフェイスマスクとして使用する場合でもアイマスクとして使用する場合でも、いずれでも、前記カバー部を安定的にユーザーの頭部に装着できるようになる。
【００１６】
さらに、本発明において、前記スペーサ部を、前記スペーサ部の下端部が前記カバー部の上端から約２〜５ｃｍだけ下方の領域に配置されるように構成したときは、前記スペーサ部を（前記カバー部と前記スペーサ部との境界又はその周辺部分で）前記カバー部の前記第１の面と反対側の第２の面側に折り曲げることにより、前記カバー部の第１の面をユーザーの顔前面に対向、装着させたときその第１の面の下端がユーザーの顔前面の鼻周辺部分に配置されるようになるので、前記カバー部をアイマスクとして使用するのに適度な大きさ及び形状とすることができる。
【図面の簡単な説明】
【００１７】
【図１】本発明の実施形態によるアイフェイスマスクを示す斜視図で、（ａ）は第２の面から示す斜視図、（ｂ）は第１の面から示す斜視図である。
【図２】本実施形態によるアイフェイスマスクのユーザーの顔面に装着されるときの状態を示す斜視図で、（ａ）は第２の面から示す斜視図、（ｂ）は第１の面から示す斜視図である。
【図３】本実施形態によるアイフェイスマスクをユーザーの顔面に装着した状態を示す斜視図で、（ａ）はユーザーの前方からみたときの斜視図、（ｂ）はユーザーの側方からみたときの斜視図、（ｃ）はユーザーの側方からみたときの一部を透視した図である。
【図４】本実施形態によるアイフェイスマスクをフェイスマスクに適した形態からアイマスクに適した形態に移行させる過程を説明するための斜視図で、（ａ）は図１のアイフェイスマスクを第１の面から示す斜視図、（ｂ）は（ａ）のアイフェイスマスクのスペーサ部を第２の面側に折り曲げる途中の段階を示す斜視図、（ｃ）は（ｂ）の段階から更にスペーサ部を（カバー部中のスペーサ部が取り付けられた周辺の部分と一緒に）第２の面側に完全に折り曲げた段階を示す斜視図である。
【図５】本実施形態をアイマスクとして使用するためにユーザーの顔面に装着するときの状態を示す斜視図で、（ａ）は第２の面から示す斜視図、（ｂ）は第１の面から示す斜視図である。
【発明を実施するための形態】
【００１８】
次に本発明の実施形態によるアイメイクセーバー機能付きアイフェイスマスクについて説明する。図１は本実施形態によるアイフェイスマスクを示す斜視図で、（ａ）は第２の面から示す斜視図、（ｂ）は第１の面から示す斜視図、図２は本実施形態をフェイスマスクとして使用するためにユーザー（図示省略）の顔面に装着するときの状態を示す斜視図で、（ａ）は第２の面から示す斜視図、（ｂ）は第１の面から示す斜視図である。
【００１９】
図１，２において、１は布又は樹脂などの柔軟な素材により形成されたカバー部である。前記カバー部１は、カバー部１の第１の面１ａがユーザーの頭部から顔前面の少なくとも鼻の下方又は口元の周辺の部分に対向しながら前記部分を覆うような大きさ及び形状に形成されている。すなわち、前記カバー部１はそれをユーザーの顔前面に対向させたとき、その下端部１ｂａがユーザーの口元の周辺の高さに配置されるように、またその下端中央部１ｂｂがユーザーの鼻の下方周辺の高さに配置されるように、形成されている。
【００２０】
また、図１，２において、２は前記カバー部１の第１の面１ａの上方に取り付けられたスペーサ部である。前記スペーサ部２は、図示のように、ユーザーの頭部と対向する前記第１の面１ａ側に配置されユーザーから見て左右方向に延びる棒状体である。前記スペーサ部２は、その内部にスポンジや布などの柔軟な芯材が配置されその外周が布又は樹脂などの柔軟なシートで覆われている。また、前記スペーサ部２は、前記カバー部１の上方縁部から例えば約３〜５ｃｍの距離（図１（ａ）のＢで示す距離）だけ下方のユーザーから見て左右方向に延びる仮想線（図１（ａ）のＡで示す線）又はその周辺部分を折り返し部Ａ（本明細書では、折り返し部について、上記仮想線Ａと同じ符合を付けることとする）としたとき、前記スペーサ部の下端部のユーザーから見たときの上下方向の高さが前記折り返し部Ａ（＝仮想線Ａ）と略一致するように、配置されている。
【００２１】
また、本実施形態では、前述のように前記カバー部１は布や樹脂などの柔軟な素材で形成されているため、前記カバー部１の前記スペーサ部２の下方部分（前記カバー部１と前記スペーサ部２との境界又はその周辺部分）を折り曲げて、回転させ、前記スペーサ部２を前記カバー部１の第１の面１ａ側から第２の面１ｂ側に折り返す（ひっくり返す）ことができるようになっている（詳細は本実施形態の動作に関して後述する）。
【００２２】
また、図１，２において、３は前記カバー部１の第２の面１ｂの図示上方の左右両端部にそれぞれ取り付けられた係止部（ボタン）、４は前記カバー部１の第１の面１ａの図示上方の左右両端部（前記スペーサ部２の左右両端部）にそれぞれ取り付けられた係止部（ボタン）である。
【００２３】
また、ユーザーが図１のアイフェイスマスクを、フェイスマスクとして、その顔面に装着するときは、図２に示すように、ユーザーの顔前面に沿うように左右に少し湾曲した状態とする。また、図２において、５は前記係止部（ボタン）３に取り付けられている例えばゴム製のリング状バンド部である。
【００２４】
次に本実施形態のフェイスマスクとして使用する場合の動作を説明する。図３は本実施形態によるアイフェイスマスクをフェイスマスクとしてユーザーの顔前面に装着した状態を示す斜視図である。本実施形態をフェイスマスクとして装着するときは、図３（ａ）及び（ｂ）に示すように、前記カバー部１は、その第１の面１ａがユーザーの顔前面と対向するように、その下端部１ｂａがユーザーの口元周辺の高さ位置まで覆うように、及びその下端中央部１ｂｂがユーザーの鼻の下方周辺位置まで覆うように配置される。このとき、前記カバー部１の上方の第１の面１ａ側（ユーザーの顔面と対向する側）にスペーサ部２が配置されているので、ユーザーの顔前面とカバー部１との間に、スペース６が形成される。このスペース６により、図３（ｃ）に示すように、ユーザーのアイメイクにカバー部１が接触することが避けられるので、ユーザーのアイメイクにカバー部１が接触してアイメイクが崩れないようになり、ユーザーのアイメイクが保護されるようになる。
【００２５】
次に本実施形態に係るアイフェイスマスクをアイマスクとして使用する場合の動作を説明する。本実施形態をフェイスマスクではなくアイマスクとして使用する場合は、ユーザーは、まず図４（ａ）に示すフェイスマスクの形態（図１（ｂ）と同じ状態）から、スペーサ部２を（カバー部１中のスペーサ部２が取り付けられている周辺部分も一緒に）、カバー部１の第１の面１ａ側から第２の面１ｂ側へ向かう方向、すなわち図４（ａ）及び図４（ｂ）の矢印αで示す方向に、折り曲げ、回転させる。すなわち、前記スペース部２とそれが取り付けられているカバー部１の一部とを、図４（ａ）の折り返し部Ａ（＝仮想線Ａ）を回転中心として、図４（ａ）及び図４（ｂ）の矢印αで示す方向に、折り返す。図４（ｂ）はこの回転の途中を示す図である。そして、図４（ｃ）に示すように、スペーサ部２を、スペーサ部２が取り付けられているカバー部１の第２の面１ｂの部分がカバー部１の第２の面１ｂに当接するまで回転させる（折り返す）。この図４（ｃ）の状態までスペーサ部２を折り曲げ、回転、折り返す（ひっくり返す）ことにより、本実施形態１がアイマスクとして使用するのに適した形態（カバー部のユーザーから見て上下方向の長さがフェイスマスクとしての形態よりも十分に短い形態）となる。
【００２６】
図５は図４（ｃ）のような形態にした本実施形態をユーザーの顔に装着するときの状態を示している。ユーザーは、このような本実施形態をアイマスクとして自らに装着するときは、前記ゴム製のリング状バンド部５を、前記のフェイスマスクとして使用していたときに係止されていた前記第２の面１ｂ側の係止部（ボタン）３から取り外して、前記第１の面１ａ側の係止部（ボタン）４（前述のようにスペーサ部２が前記第２の面１ｂ側に折り曲げられ、回転されているので、前記スペーサ部２の周辺に位置する前記係止部４も、カバー部１の第２の面１ｂ側に存在している）の方に取り付ける。そして、図５（ａ）に示すようにユーザーの顔面に沿って左右方向に少し湾曲させた状態にして、前記バンド部５によりユーザーに装着させる。これにより、本実施形態がアイマスクとして使用される。
【００２７】
以上のように、本実施形態においては、カバー部１の上方の第１の面１ａ側にスペーサ部２を設けるようにしたので、バンド部５によりカバー部１の第１の面１ａをユーザーの顔前面に対向させて装着するときは、カバー部１でユーザーの顔前面の口元周辺部分までを覆いながら、カバー部１との間にユーザーの顔前面側に所定のスペース６（図３（ｃ）参照）を作出することができるので、前記カバー部１がユーザーのアイメイクに接触しないように又は前記カバー部１がユーザーのアイメイクに支障を与えないようにしながら、本実施形態をフェイスマスクとして使用することができる。
【００２８】
また、このように本実施形態をフェイスマスクとして使用する場合、前記カバー部１の下端部がユーザーの鼻又は口元の周辺まで延びているため、前記スペーサ部２によりユーザーの両眼の近傍にスペースが存在していても、例えば図３（ｃ）に示すように、ユーザーの両眼の周囲に、睡眠や休息のために十分な暗さを確保することができる。
【００２９】
また、本実施形態においては、前記スペーサ部２を、図４（ａ）の折り返し部Ａ（＝仮想線Ａ）を回転中心として（前記カバー部１と前記スペーサ部２との境界又はその周辺部分で）、前記カバー部１の前記第１の面１ａと反対側の第２の面１ｂ側に折り曲げ、折り返し可能としたので、そのように折り曲げ、折り返した状態のカバー部１の第１の面１ａをバンド部５によりユーザーの顔前面に対向させて装着するときは、前記折り曲げにより、前記カバー部１の図示上下方向の長さが小さくなる（アイマスクに適した上下方向の長さとなる）結果、前記第１の面１ａの下端部はユーザーの鼻周辺に位置するようになるので、ユーザーは、本実施形態を、フェイスマスクではなく、手軽なアイマスクとして使用することができるようになる。
【００３０】
さらに、本実施形態においては、前記スペーサ部２を、前記スペーサ部２の下端部が前記カバー部１中の前記カバー部１の上端から約３〜５ｃｍ（又は約２．５〜６ｍ、又は約２〜７ｃｍ）だけ下方の領域に配置されるように構成しているので、前記スペーサ部２を（前記カバー部１と前記スペーサ部２との境界又はその周辺部分で）前記カバー部１の前記第１の面１ａと反対側の第２の面１ｂ側に折り曲げ、回転させることにより、カバー部１の第１の面１ａをユーザーの顔前面に対向、装着させたとき、カバー部１の第１の面１ａの下端がユーザーの顔前面の鼻周辺部分に配置されるようになるので、カバー部をアイマスクとして適度な大きさ及び形状とすることができる。
【００３１】
また、このように本実施形態をアイマスクとして使用する場合、前記カバー部１のユーザーの顔前面側には前記スペーサ部２が存在せず、前記カバー部１とユーザーの両眼周辺との間にあるスペースは仮に有ったとしても微小なものに止まるので、ユーザーの両眼の周囲は十分な暗さを確保することができる（これに対して、もし上記のようにカバー部１の上下方向の長さが短いアイマスクとして使用するときに、前記カバー部１のユーザーの顔前面側に前記スペーサ部２が配置されてしまう場合は、前記スペーサ部２によりユーザーの眼前に形成されるスペースにより、ユーザーの両眼の周囲に睡眠や休息のために十分な暗さを確保することができなくなってしまう）。
【００３２】
また、本実施形態においては、前記カバー部１の上方の左右両端部に、前記第１の面１ａ及び第２の面１ｂの双方にそれぞれ前記バンド部５を一時的に固定するための係止部３，４を備え、前記スペーサ部２を前記カバー部１の第１の面１ａ側に配置したまま前記カバー部１の第１の面１ａ側をユーザーの顔前面と対向させる場合（本実施形態をフェイスマスクとして使用する場合）は前記バンド部５を前記第２の面１ｂ側に備えられた係止部３に係止し、前記スペーサ部２を前記カバー部１の第２の面１ｂ側の方に折り曲げ、回転、折り返した上で前記カバー部１の第１の面１ａ側をユーザーの顔前面と対向させる場合（本実施形態をアイマスクとして使用する場合）は前記バンド部５を前記第１の面１ａ側に備えられた係止部４に係止するようにしている。よって、本実施形態によれば、本実施形態をフェイスマスクとして使用する場合でもアイマスクとして使用する場合でも、いずれでも、カバー部を安定的にユーザーの頭部に装着できるようになる。
【００３３】
なお、前記実施形態においては、前記カバー部１の上方部分をユーザーの額と後頭部に取り付け又は装着するための手段としてゴム製の紐状（リング状）のバンド部５を使用したが、本発明における装着部はこれに限られるものではなく、例えば、前記カバー部１の上方の左右両端部に取り付けるベルト状の部材でもよいし、あるいは、前記カバー部１の上方縁部に内蔵されユーザーから見て左右方向に延びる金属製の帯状シート（例えば、前記カバー部１の上方縁部に内蔵される板バネ製の帯状シートであって、ユーザーの額又はその上方の頭部の形状に沿って長手方向に弾性的に湾曲可能であり且つ前述のように弾性的に湾曲されたとき前記カバー部１の上方縁部を前記湾曲された状態の曲率を少しだけ小さくする方向に付勢する板バネ）であってもよい。上記のような前記カバー部１の上方縁部に内蔵された金属製の帯状シート（例えば板バネ製の帯状シート）により本発明の装着部を構成するときは、ユーザーの後頭部に装着する紐状又はベルト状の部材が不要になるというメリットが得られる。
【符号の説明】
【００３４】
１         カバー部
１ａ     カバー部の第１の面
１ｂ     カバー部の第２の面
１ｂａ  カバー部の下端部
１ｂｂ  カバー部の下端中央部
２         スペーサ部
３，４  係止部
５         バンド部
６         スペース
Ａ       折り返し部（仮想線）
【図１】
2015217026.tif 000003
【図２】
2015217026.tif 000004
【図３】
2015217026.tif 000005
【図４】
2015217026.tif 000006
【図５】
2015217026.tif 000007
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
柔軟な素材により形成された、顔前面の少なくとも一部を覆うカバー部であって、その第１の面がユーザーの顔前面中の両眼の上方から鼻の下方又は口元の周辺までの部分に対向するような大きさ及び形状に形成されて成るカバー部と、
前記カバー部の前記第１の面側の上方に配置され、ユーザーの両眼の上方又は額の部分と対向又は当接するようにユーザーから見て左右方向に延びており、ユーザーの顔前面側の少なくともアイメイク前方に「前記カバー部がユーザーのアイメイクに接触しないように又は前記カバー部がユーザーのアイメイクに支障を与えないようにするためのスペース」を作出するためのスペーサ部と、
前記カバー部の上方に取り付けられ、前記カバー部の上方部分をユーザーの額又は頭部に装着又は取り付ける装着部と、を備え、
前記スペーサ部は、前記カバー部の上方縁部から約２〜７ｃｍ下方のユーザーから見て左右方向に延びる仮想線又はその周辺部分を折り返し部としたとき、前記スペーサ部の下端部のユーザーから見たときの上下方向の高さが前記折り返し部と略一致するように、配置されており、
前記スペーサ部は、前記折り返し部を介して、前記カバー部の前記第１の面と反対側の第２の面側の方向に折り返し又は回転可能とされている、アイメイクセーバー機能付きアイフェイスマスク。
【請求項２】
前記装着部は、前記スペーサ部が前記カバー部よりもユーザーの顔前面側に配置されているときでも、前記スペーサ部が前記カバー部を介してユーザーの顔前面側とは反対側に配置されているときでも、前記カバー部をユーザーの額又は頭部に装着又は取付け可能に構成されている、請求項１に記載のアイメイクセーバー機能付きアイフェイスマスク。
【請求項３】
前記カバー部には、前記スペーサ部が前記カバー部よりもユーザーの顔前面側に配置されているときに、前記カバー部の上方部分をユーザーの頭部の前方部分と対向するように配置するためにユーザーの頭部の側方及び後方部分に取り付けるバンド部の一部を、前記第２の面の上方の左右両端部に一時的に固定するための第１の係止部と、前記スペーサ部が前記カバー部を介してユーザーの顔前面側とは反対側に配置されているときに前記バンド部の一部を前記第２の面側に折り曲げ又は回転された前記スペーサ部の左右両端部に一時的に固定するための第２の係止部とがそれぞれ備えられている、請求項１に記載のアイメイクセーバー機能付きアイフェイスマスク。
【請求項４】
前記スペーサ部は、その下端部が、前記カバー部の上端から約２〜５ｃｍだけ下方の領域に配置されている、請求項１に記載のアイメイクセーバー機能付きアイフェイスマスク。
【手続補正２】
【補正対象書類名】明細書
【補正対象項目名】０００８
【補正方法】変更
【補正の内容】
【０００８】
また、本発明のアイメイクセーバー機能付きアイフェイスマスクにおいては、前記カバー部には、前記スペーサ部が前記カバー部よりもユーザーの顔前面側に配置されているときに、前記カバー部の上方部分をユーザーの頭部の前方部分と対向するように配置するためにユーザーの頭部の側方及び後方部分に取り付けるバンド部の一部を、前記第２の面の上方の左右両端部に一時的に固定するための第１の係止部と、前記スペーサ部が前記カバー部を介してユーザーの顔前面側とは反対側に配置されているときに前記バンド部の一部を前記第２の面側に折り曲げ又は回転された前記スペーサ部の左右両端部に一時的に固定するための第２の係止部とがそれぞれ備えられていてもよい。